(57)【要約】【課題】本体ケースを共通化することにより、製作費を安価にし、かつ構成部品の種類を少なくして、部品管理の容易化を図ることができる照明器具及び照明装置を提供することを目的とする。【解決手段】本発明は、光源６が収容され、投光開口部９を有する本体ケース１と、前記投光開口部９に配設された透光性カバー１０と、本体ケース１が取付けられる取付手段２、５とを具備しており、前記本体ケース１は複数種の取付手段２、５に対して異なる部位が取付け可能である。【選択図】図６
2009032468.tif 000002
【特許請求の範囲】
【請求項１】
光源が収容され、投光開口部を有する本体ケースと;
前記投光開口部に配設された透光性カバーと；
本体ケースが取付けられる取付手段と；
を具備しており、前記本体ケースは複数種の取付手段に対して異なる部位が取付け可能であることを特徴とする照明器具。
【請求項２】
取付手段には、光源を点灯する点灯装置が配設されていることを特徴とする請求項1に記載の照明器具。
【請求項３】
請求項１又は請求項２に記載の照明器具と；
この照明器具が取付けられるポールと；
を具備することを特徴とする照明装置。
【発明の詳細な説明】
【技術分野】
【０００１】
本発明は、街路灯や道路灯等に適用される照明器具及び照明装置に関する。
【背景技術】
【０００２】
一般的に、街路灯等は、道路や街路等の地中内に立設された直線中空状のポールの上方に照明器具を取付け、照明を行っている。そして、この種、街路灯等にあっては、その使用目的に応じてポールの上端から水平方向にアームを延ばし、その先端に照明器具を取付ける、いわゆるアームタイプと、ポールの上端の直上に照明器具を取付ける、いわゆるポールヘッドタイプに大別される。
これら、アームタイプとポールヘッドタイプの照明器具は、品種の相違から、それぞれ固有の構成を採っている（例えば、特許文献１、特許文献２、非特許文献１参照）。
【特許文献１】意匠登録第１２９３３５３号公報
【特許文献２】意匠登録第１２７７０３９号公報
【非特許文献１】松下電工FINEE（フィーネ）あかりと電気設備［平成19年6月25日検索］、インターネット（http://biz.national.jp/Ebox/okugai/02luminascape/03t_finee.html）
【発明の開示】
【発明が解決しようとする課題】
【０００３】
しかしながら、上記器具形状の相違から、それぞれ固有の構成を採っている場合には、器具構成部品がそれぞれの専用品となるので、品種が多くなるに従って照明器具の製作費が高価となる不都合が生じていた。
【０００４】
特に、本体ケースをアルミダイカスト等の成型加工で製作する場合には、一層その影響度が高まる。
【０００５】
そこで、本発明は、上記不都合を解消しようとするもので、本体ケースを共通化することにより、製作費を安価にし、かつ構成部品の種類を少なくして、部品管理の容易化を図ることができる照明器具及び照明装置を提供することを目的とする。
【課題を解決するための手段】
【０００６】
請求項１に記載の照明器具は、光源が収容され、投光開口部を有する本体ケースと;前記投光開口部に配設された透光性カバーと；本体ケースが取付けられる取付手段と；を具備しており、前記本体ケースは複数種の取付手段に対して異なる部位が取付け可能であることを特徴とする。
【０００７】
光源は、セラミックメタルハライドランプ等のＨＩＤランプ、蛍光ランプ、無電極放電ランプのような放電ランプ、ハロゲンランプのような白熱電球やＬＥＤ等の固体発光素子等、いずれでも適用できる。
【０００８】
請求項２に記載の照明器具は、請求項１に記載の照明器具において、取付手段には、光源を点灯する点灯装置が配設されていることを特徴とする。
【０００９】
請求項３に記載の照明装置は、請求項１又は請求項２に記載の照明器具と；この照明器具が取付けられるポールと；を具備することを特徴とする。
【発明の効果】
【００１０】
本発明は、本体ケースを共通化することにより、製作費を安価にし、かつ構成部品の種類を少なくして、部品管理の容易化を図ることができる。
【発明を実施するための最良の形態】
【００１１】
以下、本発明の照明器具及び照明装置の実施形態について図を参照して詳細に説明する。  
【００１２】
まず、本発明の全体像を図１乃至図３を参照して説明する。図１は、いわゆるアームタイプと呼ばれる街路灯の側面図であり、図２及び図３は、ポールヘッドタイプと呼ばれる街路灯の側面図である。
【００１３】
図１において、街路灯Ａは、本体ケース１と、取付手段であるほぼＬ字状のアーム２とから構成されている。本体ケース１内には、光源が収容されており、また、本体ケース１は投光開口部を有している。光源から放射された光は、この投光開口部を通じて、所望の配光が得られるように照射される。
【００１４】
なお、アーム2は、基端側が地中に埋没されて立設されたポール４の上端に連結固定されている。
【００１５】
次に、図２において、街路灯Ｂは、本体ケース１と、取付手段である支柱５とから構成されている。本体ケース１内には、図１の街路灯Ａと同様に、光源が収容されている。そして、支柱５は、図1と同様の４の上端に連結固定され、本体ケース１は、ポール４の先端側の直上に位置するように支柱５の上方に取付けられている。
【００１６】
続いて、図３において、街路灯Ｃは、図２の街路灯Ｂと同様に、本体ケース１と、取付手段である支柱５とから構成されている。本体ケース1には、上側に拡開した略円錐体形状の透光性カバー１０とルーバ２０等が設けられている。そして、上記街路灯Ａ及びＢと同様に、投光開口部を通じ、光源からの光が照射されるようになっている。
【００１７】
以上の街路灯Ａ、Ｂ及びＣの構成において、各街路灯の品種は異なるが、本体ケース１を共通の構成部品として用いられている。換言すれば、本体ケース１は、街路灯Ａ、Ｂ、Ｃのいずれの取付手段２、５であってもその取付け部位を異ならせて取付け可能である構成となっている。また、見方を変えれば、各取付手段は、共通の本体ケース１が取付けられるように構成されているということになる。本体ケース１を共通の構成にしたからといっても、各取付手段に取付けるにあたり、それぞれに適合させるための構成が必要となるが、細部において固有の取付け部位を設けることで、複数の品種に適応可能な構成を有していればよい。
【００１８】
次に、具体的に本発明の第１の実施形態を図４乃至図６を参照して説明する。図は、アームタイプの街路灯Ａを示し、図４は、本体ケースを断面して示す側面図、図５は、底面図、図６は、本体ケースを説明するための側断面図である。
【００１９】
まず、本体ケース１は、アルミダイカスト製の基体部１ａと蓋体部１ｂとから構成されている。なお、蓋体部１ｂは、アルミ板を成形して形成してもよい。基体部１ａは、下面が開放されたドーム状をなし、光源としてセラミックメタルハライドランプ６、反射板７等が設けられている。
【００２０】
ランプ６は、基体部１ａの内面のボス１ａａにねじ止めされたランプ支持ソケット８により支持されている。反射板７は、上端平坦面７ａをなす椀状に形成され、その開放面が後述する蓋体部１ｂの投光開口部に対面するように取付けられている。具体的には、反射板７の上端平坦面７ａが基体部１ａの内頂面にねじ止めされることにより取付けられる。
【００２１】
次に、蓋体部１ｂは、基体部１ａの下面を閉塞するように開閉可能に配設されるもので、ほぼ円形浅皿状の形体をなしている。また、蓋体部１ｂには、ランプ６からの光を所定の領域に照射するため、円形の投光開口部９が形成されており、この投光開口部９には、透光性カバー１０として強化ガラスがパッキンを介してねじ止めされている。
【００２２】
さらに、蓋体部１ｂは、その外周部において、基体部１ａとヒンジ１１で連結され、基体部１ａに対し、ヒンジ１１を中心として開閉可能となっている。蓋体部１ｂは、下側へ回動することにより開き、ランプ交換等のメンテナンス作業ができるようになっている。    また、蓋体部１ｂは、ヒンジ１１とは反対側の外周部をねじ１２、１２（図５参照）により、基体部１ａにパッキンを介して固定することにより、閉塞状態を維持するようになっている。この閉塞状態では、本体ケース１は、パッキン等で外部からの水気等の浸入を防止するように構成されている。
【００２３】
次に、取付手段としてのアーム２は、側面ほぼＬ字状をなし、水平に延びるアーム部２ａとポールを受け部２ｂとから構成されている。アーム部２ａは、中空部を有するほぼ直方体の形体であり、この中空部には、ランプ６を点灯する点灯装置１３が配設されている。
【００２４】
ポール受け部２ｂは、アーム部２ａと接続され、中空円筒状に形成されており、ポールの上端が挿入されて、ポール固定ねじ２ｃによりポールに固定されるようになっている。
【００２５】
また、アーム部２ａは、基体部１ａの周壁に形成された貫通孔１ａｂとアーム部２ａの周壁に形成された貫通孔とを貫通するボルト１４によって、基体部１ａに固定され、結局、本体ケース１とアーム２とが一体化される。すなわち、本体ケース１は、取付手段としてのアーム２に対して、その外周側面部１ａｃを取付け部位として取付けられる。
【００２６】
なお、詳細な説明は省略するが、基体部１ａの周壁とアーム部２ａの周壁にはランプ６と点灯装置１３とを接続するリード線が通るリード線通過孔１５が形成されている。
【００２７】
以上のように構成された街路灯Ａにおいて、図６に網掛けして示すように、この網掛け部分、すなわち、基体部１ａと蓋体部１ｂとからなる本体ケース１は、後述するポールヘッドタイプの街路灯の本体ケースと共通化されている。
【００２８】
以上のように本実施形態によれば、本体ケースは、他のタイプの街路灯の本体ケースと共通化できるので、製作費が安価となるとともに、部品管理の容易化を図ることができる。
【００２９】
また、アーム２に点灯装置１３が配設されているので、ランプと点灯装置間の配線長を短くすることができ、配線における漏れ電流や熱損失等によるエネルギーの減衰が少なく、効率的な装置とすることができ、さらに、点灯装置は、本体ケースとポールとを繋ぐアームの中空部を有効に利用して配設したので、デザイン性に優れる等の利点がある。
【００３０】
次に、本発明の第２の実施形態を図７及び図８を参照して説明する。図は、ポールヘッドタイプの街路灯Ｂを示し、図７は、本体ケースを断面して示す側面図、図８は、正面図である。なお、第１の実施形態と同一又は相当部分には同一符号を付し、その詳細な説明は省略する。
【００３１】
街路灯Ｂは、本体ケース１と、取付手段としての支柱５とから構成されている。本体ケース１は、上述の街路灯Ａとベースは同じであり、アルミダイカスト製の基体部１ａと蓋体部１ｂとからなる。
【００３２】
基体部１ａには、ランプ６、反射板７等が設けられている。基体部１ａと蓋体部１ｂとは、ヒンジ１１により連結されており、基体部１ａは蓋体部１ｂに対して、ヒンジ１１を中心として上側に回動して開くようになっている。
【００３３】
また、基体部１ａは、ヒンジ１１とは反対側の外周部をねじ（図示しない）により、蓋体部１ｂにパッキンを介して固定することにより、閉塞状態を維持するようになっている。
【００３４】
蓋体部１ｂには、投光開口部９が形成されており、この投光開口部９には、透光性カバー１０として強化ガラスがねじ止めされている。
【００３５】
次に、取付手段としての支柱５は、３本の支持アーム５ａとポール受け部５ｂとから構成されている。３本の支持アーム５ａは、中空状であり、ポール受け部５ｂの上部に各々約１２０度の角度をおいて上方に拡開するように固着されている。
【００３６】
ポール受け部５ｂは、中空円筒状であり、ポール４の上端が挿入されて、ポール４に固定されるようになっている。また、このポール受け部５ｂには、ランプ６を点灯する点灯装置１３が収納されている。
【００３７】
続いて、本体ケース１の支持アーム５ａへの取付けは、各支持アーム５ａの上端部５ｃに蓋体部１ｂの下側面１ｂａを当接し、蓋体部１ｂの内側からねじ１６によって固定することにより行われる。したがって、本体ケース１は、取付手段としての支柱５に対して、その下側面１ｂａを取付け部位として取付けられる。
【００３８】
また、ランプ６と点灯装置１２とを接続するリード線は、蓋体部１ｂに形成されたリード線通過孔、支持アーム５ａの中空部５ｄを経て配線される。
【００３９】
以上のように構成された街路灯Ｂは、その本体ケースを上述の第１の実施形態で説明した街路灯Ａの本体ケースとベースを同じくし、共通化している。つまり、街路灯Ａの本体ケースをそのまま街路灯Ｂの本体ケースに適用可能である。但し、街路灯Ａと街路灯Ｂとは、基体部１ａと蓋体部１ｂの固定構造、リーで線の配線構造、本体ケース１と取付手段（アーム２、支柱５）との取付け構造等、細部において構成が異なり、これらの点に対応して各々固有の構成を採る必要はある。
【００４０】
なお、基体部１ａの内面には対称位置にランプ支持ソケット８取付け用の２つのボス１ａａが設けられており、ランプ支持ソケット８をいずれのボス１ａａにも取付けることができるようになっている。したがって、ランプ６をいずれの向きにも取付け可能になっている（図４右方向、図７左方向）。
【００４１】
以上のように本実施形態によれば、本体ケースは、他のタイプの街路灯の本体ケースと共通化でき、第１の実施形態と同様な効果を奏することができる。
【００４２】
次に、本発明の第３の実施形態を図９を参照して説明する。図は、ポールヘッドタイプの街路灯Ｃを示し、図９は、本体ケースを断面して示す側面図である。なお、第１及び第２の実施形態と同一又は相当部分には同一符号を付し、その詳細な説明は省略する。
【００４３】
街路灯Ｃは、本体ケース１と、取付手段としての支柱５とから構成されている。この本体ケース１と支柱５の構成は、上述の街路灯Ｂと同じである。異なるのは、ルーバ２０を設けている点、ランプ６の取付け方向、透光性カバー１０の構成等である。
【００４４】
したがって、これら相違点を中心に説明する。基体部１ａの内面頂部にはランプ支持ソケット８がねじ止めされている。ランプ６は、このランプ支持ソケット８に下向きに取付けられる。
【００４５】
また、ランプ支持ソケット８には、ルーバ２０の支持桿２１が垂下して取付けられている。そして、この支持桿２１には、複数の傘状のルーバ２０が一定間隔を空けて取付けられている。ルーバ２０は、内面に白色塗装が施されており、ランプ６からの光を下方へ反射するとともに上方への光の漏れを抑制する機能を有する。
【００４６】
さらに、蓋体部１ｂの投光開口部９には上側に拡開した略円錘体形状のの透光性カバー１０がパッキンを介してねじ止めされている。この透光性カバー１０は、ランプ６、ルーバ２０等を覆い、本体ケース１内に水気等が浸入するのを阻止するようになっている。
【００４７】
基体部１ａは、蓋体部１ｂに対して、ヒンジ１１を中心として上側に回動して開くようになっている。
【００４８】
以上のように本実施形態によれば、本体ケースは、他のタイプの街路灯の本体ケースと共通化でき、第１の実施形態と同様な効果を奏することができる。
【００４９】
加えて、本実施形態の取付手段である支柱と第２の実施形態における支柱も共通化しており、一層製作費等について有利となる。
【００５０】
次に、本発明の第４の実施形態を図１０を参照して説明する。本実施形態は、本体ケースの別異な態様を示すもので、図１０は、本体ケースを断面して示す側面図である。
【００５１】
本体ケース１００は、基体部１００ａと蓋体部１００ｂとから構成されるが、基体部１００ａは、周壁を有するほぼ円形皿状をなし、下面に投光開口部１０９を有し、この投光開口部１０９に透光性カバー１１０が設けられている。そして、ランプ６、反射板７等は、基体部１００ａに取付けられている。
【００５２】
一方、蓋体部１００ｂは、上蓋であり、ドーム状に形成されており、その外周部を基体部１００ａの周壁に着脱可能に複数のねじ１１２によってねじ止めされている。
【００５３】
ランプの交換等のメンテナンスにおいては、ねじ１１２を外し、上蓋である蓋体部１ｂを基体部１ａから取り外して作業を行う。作業終了後は、再び蓋体部１ｂを基体部１ａに配置し、ねじ１１２を締め付けることにより、蓋体部１ｂを基体部１ａに固定する。
【００５４】
以上のような態様の本体ケース１００を共通化して、例えば、上記のような街路灯Ａ、Ｂ及びＣに適合させることもできる。この場合、本体ケース１００は、各取付手段に取付けることができるように、その取付け部位を設定すればよい。
【００５５】
次に、本発明の第５の実施形態を図１１乃至図１３を参照して説明する。図は、２灯用の街路灯を示し、図１１は、アームタイプの正面図、図１２及び図１３は、ポールヘッドタイプの正面図である。
【００５６】
図１１においては、ほぼＴ字形のアーム２００の両側に本体ケース１を連結した２灯用の街路灯を示す。
【００５７】
図１２においては、同じくＴ字形のアーム２００の両側に、上述の街路灯Ｂのタイプを連結した２灯用の街路灯を示す。
【００５８】
図１３においては、同じくＴ字形のアーム２００の両側に、上述の街路灯Ｃのタイプを連結した２灯用の街路灯を示す
【００５９】
以上のような実施形態に示すものであっても、本体ケースの共通化が可能であり、所期の効果を達成できる。
【００６０】
次に、本発明の第６の実施形態を図１４及び図１５を参照して説明する。図は、アームタイプの街路灯を示し、図１４及び図１５は、配光特性を表す底面図である。なお、上述の各実施形態と同一又は相当部分には同一符号を付し、その詳細な説明は省略する。
【００６１】
まず、本実施形態は、ランプ支持ソケット８を可動できる構成を採用している。ランプ支持ソケット８は左右に移動可能となっており、つまり、図示上、上下に移動可能となっており、街路灯の設置場所に応じて、所望の配光特性を得られるようになっている。
【００６２】
図１４においては、ランプ支持ソケット８は、中央に位置されており、それに従いランプ６は中央に配置される。この場合は、ランプ６から直射光と反射板７からの反射光による配光５０は、ランプ６を中心としてほぼ左右対称に広がっている。
【００６３】
また、図１５に示すように、ランプ支持ソケット８を図示上、上方に移動し、ランプ６をセットした場合は、ランプ６は中央から偏倚しているため、その配光６０は偏ったものとすることができる。
【００６４】
よって、街路灯の設置場所や環境に応じて、配光制御ができ、所望の配光特性を得ることが可能となる。
【００６５】
本実施形態の構成においても、本体ケースの共通化が可能であり、所期の効果を達成できる。
【００６６】
なお、以上の各実施形態において、いわゆるアームタイプとポールヘッドタイプとに大別して取り上げ、説明してきたが、品種の区分けは、これに限るものではない。
【００６７】
また、本体ケースの取付手段への取付けは、直接的に取付けるばかりでなく、中間部材を介して間接的に取付けるようにしてもよい。
【図面の簡単な説明】
【００６８】
【図１】本発明の照明装置の実施形態を示すアームタイプの街路灯の側面図である。
【図２】同ポールヘッドタイプの街路灯の側面図である。
【図３】同じくポールヘッドタイプの街路灯の側面図である。
【図４】同第１の実施形態の本体ケースを断面して示す側面図である。
【図５】同第１の実施形態の底面図である。
【図６】同第１の実施形態の本体ケースを説明するための側断面図である。
【図７】同第２の実施形態の本体ケースを断面して示す側面図である。
【図８】同第２の実施形態の正面図である。
【図９】同第３の実施形態の本体ケースを断面して示す側面図である。
【図１０】同第４の実施形態の本体ケースを断面して示す側面図である。
【図１１】同第５の実施形態を示す２灯用アームタイプの街路灯の正面図である。
【図１２】同第５の実施形態を示す２灯用ポールヘッドタイプの街路灯の正面図である。
【図１３】同じく第５の実施形態を示す２灯用ポールヘッドタイプの街路灯の正面図である。
【図１４】同第６の実施形態の配光特性を表す底面図である。
【図１５】同じく第６の実施形態の配光特性を表す底面図である。
【符号の説明】
【００６９】
１        本体ケース  
２、５    取付手段
４        ポール
６        光源
９        投光開口部
１０      透光性カバー
１３      点灯装置
【図１】
2009032468.tif 000003
【図２】
2009032468.tif 000004
【図３】
2009032468.tif 000005
【図４】
2009032468.tif 000006
【図５】
2009032468.tif 000007
【図６】
2009032468.tif 000008
【図７】
2009032468.tif 000009
【図８】
2009032468.tif 000010
【図９】
2009032468.tif 000011
【図１０】
2009032468.tif 000012
【図１１】
2009032468.tif 000013
【図１２】
2009032468.tif 000014
【図１３】
2009032468.tif 000015
【図１４】
2009032468.tif 000016
【図１５】
2009032468.tif 000017